(57)【要約】【課題】ＴＲＤを安全かつ迅速に交換できる遠方監視制御装置を提供する。【解決手段】遠方監視制御装置１００は、一つ以上のＴＲＤ１とケース２を備える。ＴＲＤ１は、フレーム１ｆの内部に変換回路を有する。ＴＲＤ１は、変流器ＣＴから入力された交流電流値、及び、変圧器ＰＴから入力された交流電圧値を直流値に変換して出力できる。ケース２は、ＴＲＤ１を内部に収容できる。ＴＲＤ１は、ケース２の前面側に固定自在な前面パネル１ａと背面パネル１ｂに配列された複数の第１接続端子１１ｔを有する。ケース２は、背面パネル１ｂと対向配置した後面板２ａと複数の第２接続端子２１ｔを有する。第２接続端子２１ｔは、第１接続端子１１ｔに向かって後面板２ａから一端部側が突出すると共に、第１接続端子１１ｔと電気的に接続自在な弾性部２１１、及び、変流器ＣＴ又は変圧器ＰＴと電気的に接続する接続部２１２を他端部側に設けている。【選択図】図２
2017073843.tif 000002
【特許請求の範囲】
【請求項１】
送電線の交流電流値を計測する変流器、及び、送電線の交流電圧値を計測する変圧器を少なくとも備えた遠方監視制御装置であって、
前記変流器から入力された前記交流電流値、及び、前記変圧器から入力された前記交流電圧値を直流値に変換する変換回路を箱状のフレームの内部に有する一つ以上のトランスデューサと、
前記トランスデューサを内部に収容自在なケースと、を備え、
前記トランスデューサは、
前記ケースの前面側に固定自在な前面パネルと、
背面パネルに縦横に配列された複数の第１接続端子と、を有し、
前記ケースは、
前記トランスデューサを挿入した状態で、前記背面パネルと対向配置された後面板と、
前記第１接続端子に向かって前記後面板から一端部側が突出すると共に、前記第１接続端子と電気的に接続自在な弾性部、及び、前記変流器又は前記変圧器と電気的に接続する接続部を他端部側に設けた複数の第２接続端子と、を有する、遠方監視制御装置。
【請求項２】
前記第２接続端子は、前記接続部が前記変流器に接続し、前記トランスデューサを前記ケースに挿入しない状態では、前記弾性部が互いに導通し、前記トランスデューサを前記ケースに挿入した状態では、前記弾性部が互いに非導通になる、前記変流器に接続用の一組以上の第２接続端子を含んでいる、請求項１記載の遠方監視制御装置。
【請求項３】
前記トランスデューサは、前記背面パネルから前記前面パネルに向かって直進し、前記フレームの内側に窪んだ案内溝を四側面に有し、
前記ケースは、前記案内溝に係合し、前記トランスデューサの直線運動のみを許容する四つの案内バーを有する、請求項１又は２記載の遠方監視制御装置。
【請求項４】
前記トランスデューサは、前記背面パネルから前記前面パネルに向かって、前記フレームの隅部に切り欠いた面取り部を有し、
前記ケースは、前記面取り部に係合する誤挿入防止部材を有する、請求項１から３のいずれかに記載の遠方監視制御装置。
【発明の詳細な説明】
【技術分野】
【０００１】
本発明は、遠方監視制御装置に関する。特に、遠方監視制御装置の内部に組み込まれ、送電線の電流値及び電圧値を計測した交流値を直流値に変換するトランスデューサを安全かつ迅速に交換できる遠方監視制御装置の構造に関する。
【背景技術】
【０００２】
変電所などでは、送電線の交流電流値、及び、前記送電線の交流電圧値を計測して、これらのデータを遠方の監視制御施設に送信する遠方監視制御装置を備えている。
【０００３】
図６は、変電所などに設置された遠方監視制御装置の構成の一例を示す機能ブロック図である。図６を参照すると、遠方監視制御装置２００は、変流器ＣＴと変圧器ＰＴを備えている。変流器ＣＴは、送電線Ｗの交流電流値を計測している。変圧器ＰＴは、送電線Ｗの交流電圧値を計測している。
【０００４】
図６を参照すると、遠方監視制御装置２００は、計測架９０を備えている。計測架９０は、トランスデューサ（以下、ＴＲＤという）９１、Ａ／Ｄ変換器９２、及び、伝送処理装置９３を内部に備えている。
【０００５】
図６を参照して、ＴＲＤ９１は、変流器ＣＴに接続している。又、ＴＲＤ９１は、変圧器ＰＴに接続している。ＴＲＤ９１は、交流を直流に変換する変換回路を内部に備えている。ＴＲＤ９１は、変流器ＣＴから入力された交流電流値、及び、変圧器ＰＴから入力された交流電圧値を直流値に変換して出力できる。
【０００６】
図６を参照すると、Ａ／Ｄ変換器９２は、ＴＲＤ９１から出力したアナログ信号をデジタル信号に変換している。伝送処理装置９３は、Ａ／Ｄ変換器９２から出力したデジタル信号をネットワークＮＷに送信している。
【０００７】
図６を参照すると、遠方の監視制御施設１０１は、複数の端末処理装置Ｔを備えている。端末処理装置Ｔは、ネットワークＮＷを介して、現地の送電線Ｗの電圧値及び電流値を監視できる。又、端末処理装置Ｔは、ネットワークＮＷを介して、現地の機器を遠隔操作できる。
【０００８】
図７は、従来技術によるＴＲＤの構成を示す正面図である。図７を参照すると、計測架９０は、複数のＴＲＤ９１を水平方向に並設配置している。ＴＲＤ９１は、直方体状の絶縁ケース９１ｃで外殻を構成している。ＴＲＤ９１は、一対のフランジ部９１ｆ・９１ｆを底部側に設けている。又、ＴＲＤ９１は、複数のねじ端子９１ｔを前面側に配置している。
【０００９】
図７を参照して、図示しない取り付けねじを用いて、一対のフランジ部９１ｆ・９１ｆを計測架９０の背面板に固定することで、複数のねじ端子９１ｔが前面に向くように、ＴＲＤ９１を設置できる。
【００１０】
図７を参照すると、上段側のねじ端子９１ｔは入力端子であり、例えば、変流器ＣＴに接続した配線Ｗｅの端末に設けた圧着端子をねじ止めできる。下段側のねじ端子９１ｔは出力端子であり、これらのねじ端子に接続した配線Ｗｅは、Ａ／Ｄ変換器９２に接続している（図６参照）。
【００１１】
ところで、図７を参照して、経年変化などでＴＲＤ９１が劣化すると、ＴＲＤ９１を交換する必要がある。この場合、図６を参照して、送電線Ｗを無停電状態でＴＲＤ９１を交換する必要があることから、ＣＴＴプラグ（電流測定用テストプラグ）及びＰＴＴプラグ（電圧測定用テストプラグ）を用いて、ＴＲＤ９１を交換している。なお、以下、ＣＴＴプラグをＣＴＴと略称し、ＰＴＴプラグをＰＴＴと略称する。
【００１２】
次に、従来技術によるＴＲＤの交換方法を説明する。図８は、遠方監視制御装置１００の要部の回路図である。図８を参照すると、通常、ＣＴは、ＴＲＤ９１の入力端子「１」から入力端子「４」に接続している。同様に、通常、ＰＴは、ＴＲＤ９１の入力端子「５」から入力端子「９」に接続している。
【００１３】
図８を参照すると、ＴＲＤ９１は、出力端子「１０」、「１１」、「１３」を有している。出力端子「１３」は、グラウンド端子である。出力端子「１０」、「１１」は、例えば、Ａ／Ｄ変換器９２に接続できる。
【００１４】
図８を参照して、ＴＲＤ９１を交換する前に、ＣＴとＴＲＤ９１の接続経路の間に、ＣＴＴを挿入することで、ＣＴとＴＲＤ９１の接続を切り離すことができる。又、ＣＴとＴＲＤ９１の接続経路の間に、ＣＴＴを挿入することで、ＣＴの入力端子「１」と出力端子「２」を短絡できる。同様に、ＣＴとＴＲＤ９１の接続経路の間に、ＣＴＴを挿入することで、ＣＴの入力端子「３」と出力端子「４」を短絡できる。
【００１５】
図８を参照して、ＴＲＤ９１を交換する前に、ＰＴとＴＲＤ９１の接続経路の間に、ＰＴＴを挿入することで、ＰＴとＴＲＤ９１の接続を切り離すことができる。又、ＰＴとＴＲＤ９１の接続経路の間に、ＰＴＴを挿入することで、ＰＴの端子「１」から端子「３」を開放できる。
【００１６】
上述した手順を終了後に、ＴＲＤ９１を交換することで、ＣＴ又はＰＴを故障させることなく、ＴＲＤ９１を交換できる。
【００１７】
しかしながら、図７を参照すると、従来技術による計測架９０は、複数のＴＲＤ９１を密集するように配置しているので、配線Ｗｅの端末に設けた圧着端子が通電中のＴＲＤ９１のねじ端子９１ｔに接触する心配があった。又、ねじ端子９１ｔを操作する金属製の工具が通電中のＴＲＤ９１のねじ端子９１ｔに接触する心配があった。
【００１８】
耐用年数の長いトランスデューサなどを計測架に収容し、耐用年数の短い伝送制御回路などを基本架に区別して収容した遠方監視制御装置が開示されている（例えば、特許文献１参照）。
【先行技術文献】
【特許文献】
【００１９】
【特許文献１】特開２００７−２０２６１号公報
【発明の概要】
【発明が解決しようとする課題】
【００２０】
しかしながら、特許文献１による遠方監視制御装置は、トランスデューサを交換するときに、配線の端末に設けた圧着端子が通電中のトランスデューサのねじ端子に接触し易い、又は、ねじ端子を操作する金属製の工具が通電中のトランスデューサのねじ端子に接触し易いという課題は何ら開示されていない。
【００２１】
以上のことから、送電線の電流値及び電圧値を計測した交流値を直流値に変換するトランスデューサを安全かつ迅速に交換できる遠方監視制御装置が求められている。そして、以上のことが本発明の課題といってよい。
【００２２】
本発明は、このような課題に鑑みてなされたものであり、送電線の電流値及び電圧値を計測した交流値を直流値に変換するトランスデューサを安全かつ迅速に交換できる遠方監視制御装置を提供することを目的とする。
【課題を解決するための手段】
【００２３】
本発明者らは、トランスデューサをケースに挿入する前は、ＣＴ用の端子が互いに接触し、トランスデューサをケースに挿入すると、ＣＴ用の端子が互いに切り離されるように構成することで、トランスデューサを安全かつ迅速に交換できると考え、これに基づいて、以下のような新たな遠方監視制御装置を発明するに至った。
【００２４】
（１）本発明による遠方監視制御装置は、送電線の交流電流値を計測する変流器、及び、送電線の交流電圧値を計測する変圧器を少なくとも備えた遠方監視制御装置であって、前記変流器から入力された前記交流電流値、及び、前記変圧器から入力された前記交流電圧値を直流値に変換する変換回路を箱状のフレームの内部に有する一つ以上のトランスデューサと、前記トランスデューサを内部に収容自在なケースと、を備え、前記トランスデューサは、前記ケースの前面側に固定自在な前面パネルと、背面パネルに縦横に配列された複数の第１接続端子と、を有し、前記ケースは、前記トランスデューサを挿入した状態で、前記背面パネルと対向配置された後面板と、前記第１接続端子に向かって前記後面板から一端部側が突出すると共に、前記第１接続端子と電気的に接続自在な弾性部、及び、前記変流器又は前記変圧器と電気的に接続する接続部を他端部側に設けた複数の第２接続端子と、を有する。
【００２５】
（２）前記第２接続端子は、前記接続部が前記変流器に接続し、前記トランスデューサを前記ケースに挿入しない状態では、前記弾性部が互いに導通し、前記トランスデューサを前記ケースに挿入した状態では、前記弾性部が互いに非導通になる、前記変流器に接続用の一組以上の第２接続端子を含んでいることが好ましい。
【００２６】
（３）前記トランスデューサは、前記背面パネルから前記前面パネルに向かって直進し、前記フレームの内側に窪んだ案内溝を四側面に有し、前記ケースは、前記案内溝に係合し、前記トランスデューサの直線運動のみを許容する四つの案内バーを有することが好ましい。
【００２７】
（４）前記トランスデューサは、前記背面パネルから前記前面パネルに向かって、前記フレームの隅部に切り欠いた面取り部を有し、前記ケースは、前記面取り部に係合する誤挿入防止部材を有することが好ましい。
【発明の効果】
【００２８】
本発明による遠方監視制御装置は、交流電流値及び交流電圧値を直流値に変換する変換回路を内部に有する一つ以上のトランスデューサと、トランスデューサを内部に収容自在なケースを備え、トランスデューサをケースに挿入する前は、変流器用の接続端子が互いに接触し、トランスデューサをケースに挿入すると、変流器用の接続端子が互いに切り離されるように構成することで、トランスデューサを安全かつ迅速に交換できる。
【図面の簡単な説明】
【００２９】
【図１】本発明の一実施形態による遠方監視制御装置に備わるトランスデューサ及びケースの構成を示す正面図であり、図１（Ａ）は、トランスデューサをケースに取り付けた状態図、図１（Ｂ）は、トランスデューサをケースから取り外した状態図である。
【図２】前記実施形態によるトランスデューサの構成を示す右側面図である。
【図３】前記実施形態によるトランスデューサの構成を示す図であり、図３（Ａ）は、トランスデューサの平面図、図３（Ｂ）は、トランスデューサの背面図である。
【図４】前記実施形態によるケースの構成を示す斜視図である。
【図５】前記実施形態によるケースの端子配列図である。
【図６】従来技術による遠方監視制御装置の構成の一例を示す機能ブロック図である。
【図７】従来技術によるトランスデューサの構成を示す正面図である。
【図８】従来技術による遠方監視制御装置の要部の回路図である。
【発明を実施するための形態】
【００３０】
以下、図面を参照して本発明を実施するための形態を説明する。
［遠方監視制御装置の構成］
最初に、本発明の一実施形態による遠方監視制御装置の構成を説明する。
【００３１】
図１は、本発明の一実施形態による遠方監視制御装置に備わるトランスデューサ及びケースの構成を示す正面図であり、図１（Ａ）は、トランスデューサをケースに取り付けた状態図、図１（Ｂ）は、トランスデューサをケースから取り外した状態図である。
【００３２】
図２は、前記実施形態によるトランスデューサの構成を示す右側面図である。図３は、前記実施形態によるトランスデューサの構成を示す図であり、図３（Ａ）は、トランスデューサの平面図、図３（Ｂ）は、トランスデューサの背面図である。
【００３３】
図４は、前記実施形態によるケースの構成を示す斜視図である。図５は、前記実施形態によるケースの端子配列図である。なお、従来技術で使用した符号と同じ符号を付した構成品は、その作用を同じにするので、説明を省略する場合がある。
【００３４】
（全体構成）
次に、本発明の一実施形態による遠方監視制御装置の全体構成を説明する。図１から図３を参照すると、本発明の一実施形態による遠方監視制御装置１００は、一つ以上のＴＲＤ１とラック式のケース２を備えている。
【００３５】
図１から図３を参照すると、ＴＲＤ１は、箱状のフレーム１ｆの内部に変換回路を有している。ＴＲＤ１は、変流器ＣＴから入力された交流電流値、及び、変圧器ＰＴから入力された交流電圧値を直流値に変換して出力できる（図６参照）。図１又は図２及び図４を参照すると、ケース２は、ＴＲＤ１を内部に収容自在に配列できる。
【００３６】
図１から図４を参照すると、ＴＲＤ１は、前面パネル１ａと複数の第１接続端子１１ｔを備えている。前面パネル１ａは、ケース２の前面側にねじ止めで固定できる。複数の第１接続端子１１ｔは、背面パネル１ｂに縦横に配列されている（図３参照）。背面パネル１ｂは、絶縁性を有している。
【００３７】
図１又は図２を参照すると、ケース２は、後面板２ａと複数の第２接続端子２１ｔを有している。後面板２ａは、ＴＲＤ１を挿入した状態で（図２参照）、背面パネル１ｂと対向配置されている。
【００３８】
図２を参照すると、第２接続端子２１ｔは、弾性部２１１を一端部側に設けている。又、第２接続端子２１ｔは、接続部２１２を他端部側に設けている。弾性部２１１は、第１接続端子１１ｔに向かって後面板２ａから突出している。又、弾性部２１１は、第１接続端子１１ｔと電気的に接続できる。接続部２１２は、変流器ＣＴ又は変圧器ＰＴと電気的に接続できる（図６参照）。
【００３９】
（トランスデューサの構成）
次に、実施形態によるＴＲＤ１の構成を説明する。図１から図３を参照すると、ＴＲＤ１は、フレーム１ｆの内側に向かって窪んだ一対の案内溝１ｄ・１ｄを両側面に形成している。案内溝１ｄは、フレーム１ｆの上面及び下面にも形成している。又、案内溝１ｄは、背面パネル１ｂから前面パネル１ａに向かって直進している。
【００４０】
一方、図１又は図２及び図４を参照すると、ケース２は、四つの四角柱状の案内バー２ｂを有している。これらの案内バー２ｂは、案内溝１ｄに係合できる。そして、これらの案内バー２ｂは、トランスデューサ１の直線運動のみを許容するように案内できる。つまり、第１接続端子１１ｔと第２接続端子２１ｔを正しく位置合わせできる。
【００４１】
図２又は図３を参照すると、ＴＲＤ１は、背面パネル１ｂから前面パネル１ａに向かって、フレーム１ｆに隅部に切り欠いた面取り部１ｃを有している。
【００４２】
一方、図１（Ｂ）を参照すると、ケース２は、三角柱状の誤挿入防止部材２ｋを内部に配置している。誤挿入防止部材２ｋは、面取り部１ｃに係合できる。つまり、ケース２は、ＴＲＤ１の誤挿入を防止できる。
【００４３】
図２又は図３を参照すると、第１接続端子１１ｔは、対を成すように背面パネル１ｂに配置されている。一対の第１接続端子１１ｔ・１１ｔは、絶縁材を介して、対向配置されている（図２参照）。第１接続端子１１ｔは、例えば、圧入などの固定手段で背面パネル１ｂに固定している。第１接続端子１１ｔの一端部側は、第２接続端子２１ｔに接触できる。第１接続端子１１ｔの他端部側は、内部の変換回路（図示せず）に接続している。
【００４４】
（ケースの構成）
次に、実施形態によるケース２の構成を説明する。図１又は図２及び図４を参照すると、ラック式のケース２は、互いに対向配置されると共に、高さ方向に多段に配置された複数のＣ形チャンネル状の横架２１ｆで骨組みしている。上段の横架２１ｆと下段の横架２１ｆには、仕切り板２１ａを固定している。又、前面側の横架２１ｆと前面側の横架２１ｆには、載置板２１ｂを掛け渡している。一対の仕切り板２１ａ・２１ａと載置板２１ｂで囲われた空間をＴＲＤ１が挿入自在な収容室Ｒとすることができる（図４参照）。
【００４５】
図１（Ａ）又は図４を参照すると、上段の横架２１ｆと下段の横架２１ｆには、前面パネル１ａを着脱自在に固定できる。収容室Ｒの奥側には、複数の第２接続端子２１ｔを配置している（図１（Ｂ）参照）。
【００４６】
図１（Ａ）又は図２を参照すると、第２接続端子２１ｔは、対を成すように端子板２１ｄを介して、後面板２ａに配置されている。端子板２１ｄは、絶縁性を有している。第２接続端子２１ｔは、例えば、圧入などの固定手段で端子板２１ｄに固定している。第２接続端子２１ｔは、その後端部を配線Ｗｅの端末に設けた圧着端子をねじ止めできる（図２参照）。
【００４７】
図１（Ａ）又は図２を参照すると、第２接続端子２１ｔは、板ばねからなる、いわゆるベーロズコンタクトであり、ＴＲＤ１をケース２に挿入すると、弾性部２１１が弾性変形して、第１接続端子１１ｔに接触できる。ＴＲＤ１をケース２から引き抜くと、弾性部２１１は弾性復帰できる。
【００４８】
図１（Ａ）又は図２を参照すると、変流器ＣＴに接続用の一組の第２接続端子２１ｔは、互いに接触自在な接点２１ｓを有している。図２を参照して、ＴＲＤ１をケース２に挿入した状態では、一組の接点２１ｓ・２１ｓは互いに離間している。つまり、一組の弾性部２１１・２１１は、互いに非導通になっている。
【００４９】
一方、図１（Ｂ）を参照すると、ＴＲＤ１をケース２に挿入しない状態では、一組の接点２１ｓ・２１ｓは互いに接触している。つまり、一組の弾性部２１１・２１１が互いに導通している。
【００５０】
このように、実施形態による１００は、ＴＲＤ１をケース２に挿入した状態では、変流器ＣＴに接続用の一組の第２接続端子２１ｔを互いに非導通にでき、ＴＲＤ１をケース２に挿入しない状態では、変流器ＣＴに接続用の一組の第２接続端子２１ｔを互いに導通できる。
【００５１】
［遠方監視制御装置の作用］
次に、実施形態による遠方監視制御装置１００の作用及び効果を説明する。図５は、図１（Ｂ）に示した第２接続端子２１ｔの配列に対応している。図５を参照すると、端子板２１ｄに設けた入力端子「１」は、ＣＴの入力端子に接続している。端子板２１ｄに設けた入力端子「２」は、ＣＴの出力端子に接続している。同様に、端子板２１ｄに設けた入力端子「３」は、ＣＴの入力端子に接続している。端子板２１ｄに設けた入力端子「４」は、ＣＴの出力端子に接続している。
【００５２】
図５を参照すると、端子板２１ｄに設けた入力端子「５」から「９」は、ＰＴに接続している。出力端子「１０」、「１１」、「１３」は、図８と同様である。
【００５３】
図１（Ｂ）又は図５を参照して、ＴＲＤ１をケース２に挿入しない状態では、入力端子「１」と入力端子「２」は互いに導通している。同様に、ＴＲＤ１をケース２に挿入しない状態では、入力端子「３」と入力端子「４」は互いに導通している。
【００５４】
図２又は図５を参照して、ＴＲＤ１をケース２に挿入した状態では、入力端子「１」と入力端子「２」を互いに切り離すと共に、入力端子「１」と入力端子「２」を対応する第１接続端子１１ｔに電気的に接続できる。
【００５５】
同様に、図２又は図５を参照して、ＴＲＤ１をケース２に挿入した状態では、入力端子「３」と入力端子「４」を互いに切り離すと共に、入力端子「３」と入力端子「４」を対応する第１接続端子１１ｔに電気的に接続できる。
【００５６】
図１（Ｂ）又は図５を参照して、ＴＲＤ１をケース２に挿入しない状態では、入力端子「５」から入力端子「９」は、互いに独立して他の端子とは非導通になっている。同様に、出力端子「１０」、「１１」、「１３」は、互いに独立して他の端子とは非導通になっている。
【００５７】
図２又は図５を参照して、ＴＲＤ１をケース２に挿入した状態では、入力端子「５」から入力端子「９」を対応する第１接続端子１１ｔに電気的に接続できる。又、出力端子「１０」、「１１」、「１３」を対応する第１接続端子１１ｔに電気的に接続できる。
【００５８】
このように、実施形態による遠方監視制御装置１００は、ＣＴＴ及びＰＴＴをＴＲＤ１の接続経路の間に挿入することなく、ＴＲＤ１を容易に交換できる。又、ＣＴ及びＰＴを損傷するリスクを軽減できる。
【００５９】
図１から図４を参照すると、実施形態によるＴＲＤ１は、前面側にねじ端子を配置していないので、通電中のＴＲＤ１のねじ端子に接触する心配がないという利点がある。又、金属製の工具が通電中のＴＲＤ１のねじ端子に接触する心配がないという利点がある。
【００６０】
本発明による遠方監視制御装置は、以下の効果が期待できる。
（１）非熟練者であっても、トランスデューサを簡単に交換できる。
（２）感電又は装置の損傷のリスクを減少できる。
（３）トランスデューサの交換時間を短縮できる。
【００６１】
実施形態によるケースは、複数のトランスデューサを収容自在なラック式のケースとしたが、これに限定されることなく、単体のトランスデューサのみを収容するユニット式のケースとしてもよい。
【符号の説明】
【００６２】
１  ＴＲＤ（トランスデューサ）
１ａ  前面パネル
１ｂ  背面パネル
２  ケース
２ａ  後面板
１１ｔ  第１接続端子
２１ｔ  第２接続端子
１００  遠方監視制御装置
２１１  弾性部
２１２  接続部
ＣＴ  変流器
ＰＴ  変圧器
【図１】
2017073843.tif 000003
【図２】
2017073843.tif 000004
【図３】
2017073843.tif 000005
【図４】
2017073843.tif 000006
【図５】
2017073843.tif 000007
【図６】
2017073843.tif 000008
【図７】
2017073843.tif 000009
【図８】
2017073843.tif 000010